(57)【特許請求の範囲】
【請求項１】
移動局と、
夫々が前記移動局からアップリンク信号を受信する複数の基地トランシーバー局と、
前記基地トランシーバー局に接続され、該基地トランシーバー局からアップリンク信号を受信する基地局コントローラ手段と、
を有するセルラー移動通信ネットワークであって、
該ネットワークの該基地トランシーバー局の２局以上が関連するハンドオフ動作中に、ハンドオフ動作に関連した基地トランシーバー局の中で受信したアップリンク信号を前記基地局コントローラ手段へ転送すべき、ネットワーク又は信号の状態と無関係の基地トランシーバー局の部分集合をアルゴリズムを用いて選択するよう動作可能である基地トランシーバー局選択手段を更に有し、
ハンドオフ動作に関連した該基地トランシーバー局の中の少なくとも１局は、このハンドオフ動作に関連しているときに、該基地トランシーバー局の部分集合に基づいて、前記移動局から受信したアップリンク信号を前記基地局コントローラ手段へ転送すべきか否かを決定するよう動作可能であるハンドオフ制御手段を有する、
セルラー移動通信ネットワーク。
【請求項２】
ハンドオフ動作に関連した各基地トランシーバー局は、ハンドオフ制御手段を具備する、請求項１記載のセルラー移動通信ネットワーク。
【請求項３】
前記基地トランシーバー局選択手段は、新しい部分集合が要求されたとき、内部的なタイミングを調和させるために使用するタイミング標識が与えられる、請求項１又は２記載のセルラー移動通信ネットワーク。
【請求項４】
前記基地トランシーバー局選択手段は各基地トランシーバー局に設けられ、
各基地トランシーバー局選択手段は、部分集合が要求されたとき、同一の該基地トランシーバー局の部分集合を生成するよう調和する、請求項１乃至３のうちいずれか一項記載のセルラー移動通信ネットワーク。
【請求項５】
前記基地トランシーバー局選択手段は各基地トランシーバー局に設けられ、
各基地トランシーバー局選択手段は、部分集合が要求されたとき、同一の該基地トランシーバー局の部分集合を生成するよう調和し、
前記タイミング標識は、ハンドオフ動作に関連した基地トランシーバー局へ移動局によって送信されたアップリンク信号に含まれ、該各基地トランシーバー局の該基地トランシーバー局選択手段の動作を調和する際に使用される、請求項３記載のセルラー移動通信ネットワーク。
【請求項６】
前記基地トランシーバー局選択手段は移動局に設けられ、
前記移動局は、部分集合をあらわす部分集合メッセージを、ハンドオフ動作に関連した各基地トランシーバー局へ通知するよう動作可能であるハンドオフ制御手段を更に具備する、請求項１乃至３のうちいずれか一項記載のセルラー移動通信ネットワーク。
【請求項７】
該アルゴリズムは、基地トランシーバー局のランダムな部分集合を選択する擬似乱数アルゴリズムに基づいている、請求項１記載のセルラー移動通信ネットワーク。
【請求項８】
該アルゴリズムは、ハンドオフに関連した基地トランシーバー局の部分集合の中を系統的に巡回する、請求項１記載のセルラー移動通信ネットワーク。
【請求項９】
新しい部分集合はアップリンク信号毎に選択される、請求項１乃至８のうちいずれか一項記載のセルラー移動通信ネットワーク。
【請求項１０】
新しい部分集合は所定の間隔で選択される、請求項１乃至８のうちいずれか一項記載のセルラー移動通信ネットワーク。
【請求項１１】
ハンドオフ動作に関連した基地トランシーバー局によって受信されたアップリンク信号から計算された信号測定量の時間的変化が所定の閾値を超えるか否かを判定するアップリンク判定手段を更に有し、
基地トランシーバー局選択手段は、前記アップリンク信号から計算された信号測定量の時間的変化が所定の閾値を越えるとの前記アップリンク判定手段による判定に応じて、前記アップリンク信号を前記基地局コントローラ手段へ転送すべき、ネットワーク又は信号の状態と無関係の基地トランシーバー局の部分集合をアルゴリズムを用いて選択し、
前記ハンドオフ制御手段は、前記アップリンク信号から計算された信号測定量の時間的変化が所定の閾値を越えるとの前記アップリンク判定手段による判定に応じて、前記基地トランシーバー局の部分集合に基づいて、前記移動局から受信したアップリンク信号を前記基地局コントローラ手段へ転送すべきと決定する請求項１乃至１０のうちいずれか一項記載のセルラー移動通信ネットワーク。
【請求項１２】
前記信号測定量は、予測アップリンク信号強度と受信アップリンク信号強度の差の絶対値の時間平均である、請求項１１記載のセルラー移動通信ネットワーク。
【請求項１３】
ハンドオフ動作に関連した基地トランシーバー局から移動局によって受信されたダウンリンク信号から計算された信号測定量の時間的変化が所定の閾値を超えるか否かを判定するダウンリンク判定手段を更に有し、
基地トランシーバー局選択手段は、前記ダウンリンク信号から計算された信号測定量の時間的変化が所定の閾値を越えるとの前記ダウンリンク判定手段による判定に応じて、前記ダウンリンク信号を前記基地局コントローラ手段へ転送すべき、ネットワーク又は信号の状態と無関係の基地トランシーバー局の部分集合をアルゴリズムを用いて選択し、
前記ハンドオフ制御手段は、前記ダウンリンク信号から計算された信号測定量の時間的変化が所定の閾値を越えるとの前記ダウンリンク判定手段による判定に応じて、前記基地トランシーバー局の部分集合に基づいて、前記ダウンリンク信号を前記基地局コントローラ手段へ転送すべきと決定する請求項１乃至１２のうちいずれか一項記載のセルラー移動通信ネットワーク。
【請求項１４】
前記信号測定量は、予測ダウンリンク信号強度と受信ダウンリンク信号強度の差の絶対値の時間平均である、請求項１３記載のセルラー移動通信ネットワーク。
【請求項１５】
前記アップリンク判定手段はネットワークの前記移動局に設けられている、請求項１３記載のセルラー移動通信ネットワーク。
【請求項１６】
前記アップリンク判定手段はネットワークの前記基地トランシーバー局に設けられている、請求項１３記載のセルラー移動通信ネットワーク。
【請求項１７】
前記ネットワークは符号分割多元接続ネットワークであり、
ハンドオフ動作はソフトハンドオフ動作である、請求項１乃至１６のうちいずれか一項記載のセルラー移動通信ネットワーク。
【請求項１８】
アップリンク信号をネットワークの基地トランシーバー局へ送信する送信手段と、
前記ネットワークの前記基地トランシーバー局の２局以上が関連するハンドオフ動作中に、前記移動局から信号が受信されたときにアップリンク信号を前記ネットワークの基地局コントローラ手段へ転送すべき、ネットワーク又は信号の状態と無関係の基地トランシーバー局の部分集合をアルゴリズムを用いて選択するよう動作可能である基地トランシーバー局選択手段と、
前記送信手段に接続され、ハンドオフ動作中に、前記送信手段に該基地トランシーバー局の部分集合を示す部分集合メッセージを一つ以上の該アップリンク信号に含ませるよう動作可能であるハンドオフ制御手段と、
を具備する、セルラー移動通信ネットワークにおいて使用される移動局。
【請求項１９】
セルラー移動通信ネットワークにおいて使用される基地トランシーバー局であって、
ネットワークの移動局からアップリンク信号を受信する受信手段と、
該基地トランシーバー局がハンドオフ動作に関連しているとき、ネットワークの基地トランシーバー選択手段によってアルゴリズムを用いて選択された、ネットワーク又は信号の状態と無関係の基地トランシーバー局の部分集合に基づいて、前記移動局から受信されたアップリンク信号を、前記ネットワークの基地局コントローラ手段へ転送すべきか否かを決定するよう動作可能であるハンドオフ制御手段と、
を具備する、セルラー移動通信ネットワークにおいて使用される基地トランシーバー局。
【請求項２０】
前記基地トランシーバー選択手段が設けられている請求項１９記載の基地トランシーバー局。
【請求項２１】
前記基地トランシーバー選択手段が外部に設けられている請求項１９記載の基地トランシーバー局。
【請求項２２】
セルラー移動通信ネットワークにおいて使用されるハンドオフ制御方法であって、
ネットワークの２局以上の基地トランシーバー局が関連するハンドオフ動作が実行されるとき、前記ネットワークの基地トランシーバー局選択手段は、前記ネットワークの移動局から受信されたアップリンク信号を、前記ネットワークの基地局コントローラへ転送すべき、ネットワーク又は信号の状態と無関係の基地トランシーバー局を示す基地トランシーバー局の部分集合をアルゴリズムを用いて選択し、
複数の基地トランシーバー局の中で、該部分集合は検査され、前記移動局から受信されたアップリンク信号を、前記ネットワークの前記基地局コントローラへ転送すべきか否かが決定される方法。
【請求項２３】
移動局と、
夫々が該移動局へダウンリンク信号を送信する複数の基地トランシーバー局と、
該基地トランシーバー局に接続され、該基地トランシーバー局へダウンリンク信号を供給する基地局コントローラ手段と、
を有するセルラー移動通信ネットワークであって、
該基地局コントローラ手段は、
ネットワークの該基地トランシーバー局の２局以上が関連したハンドオフ動作中に、ハンドオフ動作に関連した基地トランシーバー局の中で該ダウンリンク信号を前記移動局へ転送すべき、ネットワーク又は信号の状態と無関係の基地トランシーバー局の部分集合をアルゴリズムを用いて選択するよう動作可能である基地トランシーバー局選択手段と、
同じハンドオフ動作中に、前記ダウンリンク信号を該基地トランシーバー局の部分集合だけに供給するよう動作可能であるハンドオフ制御手段と、
を具備する、セルラー移動通信ネットワーク。
【請求項２４】
該アルゴリズムは、基地トランシーバー局のランダムな部分集合を選択する擬似乱数アルゴリズムに基づいている、請求項２３記載のセルラー移動通信ネットワーク。
【請求項２５】
該アルゴリズムは、ハンドオフに関連した基地トランシーバー局の部分集合の中を系統的に巡回する、請求項２３記載のセルラー移動通信ネットワーク。
【請求項２６】
新しい部分集合はアップリンク信号毎に選択される、請求項２３乃至２５のうちいずれか一項記載のセルラー移動通信ネットワーク。
【請求項２７】
新しい部分集合は所定の間隔で選択される、請求項２３乃至２５のうちいずれか一項記載のセルラー移動通信ネットワーク。
【請求項２８】
前記基地トランシーバー局選択手段は、新しい部分集合が要求されたとき、内部的なタイミングを調和させるために使用するタイミング標識が与えられる、請求項２３乃至２７のうちいずれか一項記載のセルラー移動通信ネットワーク。
【請求項２９】
ハンドオフ動作に関連した基地トランシーバー局によって前記移動局から受信されたアップリンク信号から計算された信号測定量の時間的変化が所定の閾値を超えるか否かを判定するアップリンク判定手段を更に有し、
前記基地トランシーバー局選択手段は、前記アップリンク信号から計算された信号測定量の時間的変化が所定の閾値を超えるとのアップリンク判定手段による判定に応じて、ネットワーク又は信号の状態と無関係の基地トランシーバー局の部分集合をアルゴリズムを用いて選択し、
前記ハンドオフ制御手段は、前記アップリンク信号から計算された信号測定量の時間的変化が所定の閾値を超えるとのアップリンク判定手段による判定に応じて、前記アップリンク信号を該基地トランシーバー局の部分集合だけに供給する請求項２３乃至２８のうちいずれか一項記載のセルラー移動通信ネットワーク。
【請求項３０】
前記信号測定量は、予測アップリンク信号強度と受信アップリンク信号強度の差の絶対値の時間平均である、請求項２９記載のセルラー移動通信ネットワーク。
【請求項３１】
ハンドオフ動作に関連した基地トランシーバー局から移動局によって受信されたダウンリンク信号から計算された信号測定量の時間的変化が所定の閾値を超えるか否かを判定するダウンリンク判定手段を更に有し、
前記基地トランシーバー局選択手段は、前記ダウンリンク信号から計算された信号測定量の時間的変化が所定の閾値を超えるとのダウンリンク判定手段による判定に応じて、ネットワーク又は信号の状態と無関係の基地トランシーバー局の部分集合をアルゴリズムを用いて選択し、
前記ハンドオフ制御手段は、前記ダウンリンク信号から計算された信号測定量の時間的変化が所定の閾値を超えるとのダウンリンク判定手段による判定に応じて、前記ダウンリンク信号を該基地トランシーバー局の部分集合だけに供給する請求項２３乃至３０のうちいずれか一項記載のセルラー移動通信ネットワーク。
【請求項３２】
前記信号測定量は、予測ダウンリンク信号強度と受信ダウンリンク信号強度の差の絶対値の時間平均である、請求項３１記載のセルラー移動通信ネットワーク。
【請求項３３】
前記アップリンク判定手段はネットワークの前記移動局に設けられている、請求項２９記載のセルラー移動通信ネットワーク。
【請求項３４】
前記アップリンク判定手段はネットワークの前記基地トランシーバー局に設けられている、請求項２９記載のセルラー移動通信ネットワーク。
【請求項３５】
前記ネットワークは符号分割多元接続ネットワークであり、
ハンドオフ動作はソフトハンドオフ動作である、請求項２３乃至３４のうちいずれか一項記載のセルラー移動通信ネットワーク。
【請求項３６】
セルラー移動通信ネットワークにおいてダウンリンク信号をネットワークの複数の基地トランシーバー局へ供給するため使用される基地局コントローラであって、
前記ネットワークの該複数の基地トランシーバー局の２局以上が関連したハンドオフ動作中に、前記基地局コントローラから信号が受信されたときに該ダウンリンク信号を前記ネットワークの移動局へ送信すべき、ネットワーク又は信号の状態と無関係の基地トランシーバー局を示す基地トランシーバー局の部分集合をアルゴリズムを用いて選択するよう動作可能である基地トランシーバー局選択手段と、
同じハンドオフ動作中に、該ダウンリンク信号を該基地トランシーバー局の部分集合に含まれる基地トランシーバー局だけに供給するよう動作可能であるハンドオフ制御手段と、
を具備する基地局コントローラ。
【請求項３７】
セルラー移動通信ネットワークにおいて使用されるハンドオフ制御方法であって、
ネットワークの２局以上の基地トランシーバー局が関連するハンドオフ動作が実行されるとき、前記ネットワークの基地局コントローラ手段は、ダウンリンク信号を、前記ネットワークの基地トランシーバー局選択手段によってアルゴリズムを用いて選択されているこのハンドオフ動作に関連した、ネットワーク又は信号の状態と無関係の基地トランシーバー局の部分集合だけに供給することに決定する方法。
【発明の詳細な説明】
【０００１】
本発明は、符号分割多元接続(CDMA)セルラーネットワークのようなセルラー移動通信ネットワークに関する。
【０００２】
図１には、1994年10月の米国電子通信工業会(TIA)／電子工業会(EIA)規格であるStandard TIA/EIA/IS-95に準拠したセルラー移動電気通信ネットワークの一部が示されている。３局の基地トランシーバー局（BTS）４の各局BTS1、BTS2及びBTS3は、固定ネットワーク５を介して基地局コントローラ(BSC)６に接続され、BSCは移動交換センタ(MSC)７に接続される。BSC６は、たとえば、無線チャネル割り当て及びハンドオフにより、接続されたBTS４の無線リソースを管理する。MSC７は、交換機能を有するとともに位置登録及び呼出制御を行う。
【０００３】
各BTS４は、セル８にサービスを行う。移動局(MS)１０が、二つ以上のセルが重なり合う、いわゆるソフトハンドオフ(SHO)領域にあるとき、移動局は、重なり合うセルのそれぞれのBTSから同等の強度及び品質を有す送信信号（ダウンリンク信号）を受信可能である。移動局(MS)によって生成された送信信号（アップリンク信号）は、移動局がSHO領域９にあるとき、これら異なるBTSによって同等の強度及び品質で受信可能である。
【０００４】
図２には、MS１０がSHO領域９内に存在し、複数のBTS４によって受信されるようなアップリンク信号を送信する状況が示されている。IS95標準によると、このようなアップリンク信号をMS１０から受信するBTS４は、その信号を、固定ネットワーク５の専用コネクションラインを介して、BSC６に中継する。BSC６では、各受信信号の品質の比較に基づいて、中継された信号の中から一つの信号が選択され、選択された信号はMSC７に中継される。この信号の選択は、セレクション・ダイバーシチと呼ばれる。
【０００５】
同様に、図３には、MS１０がSHO領域９内に存在し、複数のBTS４からダウンリンク信号を受信する状況が示されている。IS95標準によれば、BSC６によって受信されたMSC７からのダウンリンク信号は、固定ネットワーク５のそれぞれのコネクションラインを介して、ソフトハンドオフSHOに含まれる全てのBTS４に中継され、次に、全てのBTS４によってMS１０に送信される。MS１０において、多数の信号は、たとえば、最大比合成法(MRC)を用いて合成され、或いは、多数の信号の中の一つの信号が信号強度又は信号品質に基づいて、すなわち、アップリンクの場合と同じようにセレクション・ダイバーシチを用いて選択される。
【０００６】
たとえば、欧州デジタル移動電話方式(Global System for Mobile Communication：GSM)ネットワークに対し、CDMAネットワークの場合、各BTS４は同じ周波数で送信する。その結果として、干渉問題を最小限に抑えるために、送信電力を慎重に制御し続ける必要がある。
【０００７】
IS95標準によると、信号は一連のフレームによって送信される。図４に示されるように、各フレーム長は20msであり、フレームは16個の1.25msのタイムスロットを含む。タイムスロット毎に、数ビットのユーザデータ及び／又は制御情報が送信される。
【０００８】
MS１０からBTS４への送信電力の制御(アップリンク電力制御)は、IS95では以下のようにして達成される。BTS４がMS１０から信号を受信したとき、BTS４は、予め決められた受信信号の特性（たとえば、絶対信号レベル、信号対雑音比(SNR)、信号対干渉比(SIR)、ビット誤り率(BER)又はフレーム誤り率(FER)）が予め選択された閾値レベルを超えるかどうかを判定する。この判定に基づいて、BTS４は、MS１０に対し、次のタイムスロットにおける送信電力を減少若しくは増加させることを命令する。
【０００９】
この目的のため、BTS４からMS１０へのパイロットチャネル(PCH)の全てのタイムスロット中の2ビットは、アップリンク電力制御のため割り付けられる（図４を参照のこと）。両方のビットは同じ値をとるので、以下の説明では、単数形で電力制御ビット(PCB)と称する。MS１０が送信電力を1dBだけ増加させることを要求される場合、電力制御ビットにはBTS４によって値0が割り当てられ、MS１０が送信電力を1dBだけ減少させることを要求される場合、電力制御ビットには値1が割り当てられる。BTS４は、MS１０が同じ送信電力を維持するよう直接的に要求し得ず、電力制御ビットに1と0を交互に送ることによって、送信電力が同じレベルに維持される。
【００１０】
MS１０がSHO領域９内に存在するとき、MS１０は、ソフトハンドオフに含まれた各BTS４から受信された複数の電力制御ビットに基づいて、アップリンク送信電力を増加すべきか、又は、減少すべきかを決定するよう要求される。その結果として、論理和(OR)関数演算が全ての電力制御ビットに関して行われる。このOR関数演算の結果が0であるならば、MS１０はアップリンク送信の電力を増加させ、その結果が1であるならば、MS１０はアップリンク送信の電力を減少させる。かくして、アップリンク送信電力は、全てのBTS４が増加を要求する場合に限り増加される。
【００１１】
BTS４からMS１０への送信電力の制御（ダウンリンク電力制御）は、IS95の場合に、以下のように達成される。MS１０が、トラヒックチャネル(TCH)を介して、BTS４（或いは、ソフトハンドオフ動作中の複数のBTSの中の各BTS）からダウンリンク信号を受信したとき、トラヒックチャネル信号が、たとえば、雑音によって損なわれる程度を反映した信号のFERは、MS１０によって計算される。このFERは、次に、MS１０によって、当該ダウンリンク信号を送信したBTS４に中継され、BTS４は、ダウンリンク送信電力に変更を加えるべきか否かを決めるためこのFERを使用する。
【００１２】
上記のソフトハンドオフシステムは、MS１０が個別のセルの境界付近のセルオーバーラップ領域に存在する場合に、MS１０とネットワークの間の信号伝送を向上させる際に有効である。１局のBTS４を使用する際のこれらの領域における信号品質は余り良好ではないが、２局以上のBTS４を使用することにより、信号品質は実質的に改善される。
【００１３】
しかし、IS95によるソフトハンドオフシステムは、上述のアップリンクとダウンリンクの両方の場合に、BSC６と、ソフトハンドオフに関連した各BTS４の間で、同じデータ及び／又は制御情報を伝搬する信号を送信する必要があるため、固定ネットワーク５の信号トラヒック（バックホール）を増加させる欠点がある。このような送信の重複は、以下の二つの理由から望ましくない。第一に、固定ネットワークにより多くのトラヒック輻輳を生じさせることである。第二に、固定ネットワーク基盤施設を保有しない移動サービスプロバイダー（すなわち、移動サービスユーザ）の経費負担が非常に大きい。
【００１４】
この欠点は、ある種の環境では、BSC６と全てのBTS４との間で同じデータを送信することが必要ではないと決定されるソフトハンドオフ方法が提案されている同時係属中の英国特許出願第9810424.3号で取り扱われている。たとえば、アップリンクの場合に、BTS４は、ソフトハンドオフ動作に関連した他のBTS４がより強い強度で同じ信号を受信していることが確実である場合に、MS１０から受信されたアップリンク信号をBSC６に送信する必要が無いと決定する。この決定を行うため、各タイムスロット（フレーム）で、各BTS４は、ソフトハンドオフ動作に関連したBTSからMS１０へ最後に送信されたアップリンク電力制御信号の全部を含む電力制御メッセージをMS１０から受信する。
【００１５】
したがって、BTS４からBSC６へアップリンク信号を送信すべきか否かの決定は、現在ではなく、前のタイムスロット（又はフレーム）中のアップリンク信号品質に基づいて行われる。これは、MS１０とBTS４の間の大気中干渉のフェージング特性が緩やかに変化し、その結果として、図５Ａに示されるように、１タイムスロット（又はフレーム）中のBTS４における受信信号電力が前のタイムスロットでのその受信信号電力に非常に関連性があるような比較的に低速移動中の移動局の場合には充分である。しかし、高速移動中の移動局の場合、たとえば、非直角方向に１００ｋｍ／ｈ以上の速度で移動する移動局の場合、各タイムスロットにおけるBTS４での受信電力は、図５Ｂに示されるように、前のタイムスロットにおける受信電力とは相関しない。この場合、現在のタイムスロットに対するアップリンク信号送信を前のタイムスロットにおける受信信号測定量に基づいて決定することは、適当ではない。
【００１６】
本発明の第１の局面によれば、セルラー移動通信ネットワークは、
移動局と、
夫々が前記移動局からアップリンク信号を受信する複数の基地トランシーバー局と、
前記基地トランシーバー局に接続され、該基地トランシーバー局からアップリンク信号を受信する基地局コントローラ手段と、
を有し、
前記ネットワークは、該ネットワークの該基地トランシーバー局の中の２局以上が関連するハンドオフ動作中に、ハンドオフ動作に関連した基地トランシーバー局の中で受信したアップリンク信号を前記基地局コントローラ手段へ転送すべき基地トランシーバー局の部分集合を選択するよう動作可能である基地トランシーバー局選択手段を更に有し、
ハンドオフ動作に関連した少なくとも１局の基地トランシーバー局は、このハンドオフ動作に関連しているときに、該基地トランシーバー局の部分集合に基づいて、前記移動局から受信したアップリンク信号を前記基地局コントローラ手段へ転送すべきか否かを決定するよう動作可能である。
【００１７】
本発明の第２の局面により提供されるセルラー移動通信ネットワークにおいて使用される移動局は、
アップリンク信号を前記ネットワークの基地トランシーバー局へ送信する送信手段と、
前記ネットワークの前記基地トランシーバー局の中の２局以上が関連するハンドオフ動作中に、前記移動局から信号が受信されたときにアップリンク信号を前記ネットワークの基地局コントローラ手段へ転送すべき基地トランシーバー局の部分集合を選択するよう動作可能である基地トランシーバー局選択手段と、
前記送信手段に接続され、ハンドオフ動作中に、前記送信手段に該基地トランシーバー局の部分集合を示す部分集合メッセージを一つ以上の該アップリンク信号に含ませるよう動作可能であるハンドオフ制御手段と、
を具備する。
【００１８】
本発明の第３の局面により提供されるセルラー移動通信ネットワークにおいて使用される基地トランシーバー局は、
前記ネットワークの移動局からアップリンク信号を受信する受信手段と、
該基地トランシーバー局がハンドオフ動作に関連しているとき、ネットワークの基地トランシーバー局選択手段によって選択された基地トランシーバー局の部分集合に基づいて、前記移動局から受信されたアップリンク信号を、前記ネットワークの基地局コントローラ手段へ転送すべきか否かを決定するよう動作可能であるハンドオフ制御手段と、
を具備する。
【００１９】
本発明の第４の局面により提供されるセルラー移動通信ネットワークにおいて使用されるハンドオフ制御方法は、
ネットワークの２局以上の基地トランシーバー局が関連するハンドオフ動作が実行されるとき、前記ネットワークの基地トランシーバー局選択手段は、前記ネットワークの移動局から受信されたアップリンク信号を、前記ネットワークの基地局コントローラへ転送すべき基地トランシーバー局を示す基地トランシーバー局の部分集合を選択し、
複数の基地トランシーバー局の中で、該部分集合は検査され、前記移動局から受信されたアップリンク信号を、前記ネットワークの前記基地局コントローラへ転送すべきか否かが決定される。
【００２０】
本発明の第５の局面により提供されるセルラー移動通信ネットワークは、
移動局と、
夫々が該移動局へダウンリンク信号を送信する複数の基地トランシーバー局と、
該基地トランシーバー局に接続され、該基地トランシーバー局へダウンリンク信号を供給する基地局コントローラ手段と、
を有し、
該基地局コントローラ手段は、
ネットワークの該基地トランシーバー局の２局以上が関連したハンドオフ動作中に、ハンドオフ動作に関連した基地トランシーバー局の中で該ダウンリンク信号を前記移動局へ転送すべき基地トランシーバー局の部分集合を選択するよう動作可能である基地トランシーバー局選択手段と、
同じハンドオフ動作中に、前記ダウンリンク信号を該基地トランシーバー局の部分集合だけに供給するよう動作可能であるハンドオフ制御手段と、
を具備する。
【００２１】
本発明の第６の局面により供給されるセルラー移動通信ネットワークにおいてダウンリンク信号をネットワークの複数の基地トランシーバー局へ供給するため使用される基地局コントローラは、
前記ネットワークの該複数の基地トランシーバー局の中の２局以上が関連したハンドオフ動作中に、前記基地局コントローラーから信号が受信されたときに該ダウンリンク信号を前記ネットワークの移動局へ送信すべき基地トランシーバー局を示す基地トランシーバー局の部分集合を選択するよう動作可能である基地トランシーバー局選択手段と、
同じハンドオフ動作中に、該ダウンリンク信号を該基地トランシーバー局の部分集合に含まれる基地トランシーバー局だけに供給するよう動作可能であるハンドオフ制御手段と、
を具備する。
【００２２】
本発明の第７の局面により提供されるセルラー移動通信ネットワークにおいて使用されるハンドオフ制御方法は、
ネットワークの２局以上の基地トランシーバー局が関連するハンドオフ動作が実行されるとき、前記ネットワークの基地局コントローラ手段は、ダウンリンク信号を、前記ネットワークの基地トランシーバー局選択手段によって選択されているこのハンドオフ動作に関連した基地トランシーバー局の部分集合だけに供給することに決定する。
【００２３】
以下、添付図面を参照して本発明の実施例を詳細に説明する。
【００２４】
図６は本発明を実施する移動電気通信ネットワークの構成図である。図６の中で、図１を参照して説明した構成要素と同じ構成要素には、同じ参照番号が付され、それらについての説明は省略される。
【００２５】
図６のネットワークは、Universal Mobile Telecommunication System (UMTS)、又は、UMTS Terrestrial radio access(UTRA)と称される、新たに提案する移動電気通信に関する標準のための広帯域CDMA(W-CDMA)ネットワークである。このネットワークは、上述のIS95標準のネットワークに類似しているが、実装上の細部の一部には未だ検討の余地がある。IS95とは異なる細部は、フレーム長が10msであること、並びに、タイムスロット期間が625μsであることである。全体的なビットレートは、毎秒8kビットから毎秒2Mビットの範囲に収まる。W-CDMAにおけるダウンリンク電力制御は閉ループ型であり、アップリンク電力制御と同一原理に基づく。
【００２６】
図６において、３局の基地トランシーバー局(BTS)２０（BTS1、BTS2及びBTS3）は、それぞれ、固定ネットワーク５を介して基地局コントローラ(BSC)３０に接続され、基地局コントローラ３０は移動交換センタ(MSC)７に接続される。各BTS２０は、セル８でサービスを行う。移動局(MS)４０は、ソフトハンドオフ(SHO)領域９内にあり、ソフトハンドオフに関係した全てのBTS２０からダウンリンク信号を受信し、全てのBTS２０へアップリンク信号を送信できる。
【００２７】
図６のネットワークは、概ね図１のネットワークと対応するが、MS４０、BTS２０及びBSC３０は、後述の通り、図１における対応した構成要素とは異なる構造を有し、異なる動作を行う。
【００２８】
本発明の実施例は、移動局４０の速度が所定の限界を超えること（「高速」）が検出されたときに動作するよう設計される。既に説明した通り、移動局４０がこの限界よりも遅い速度（「低速」）で移動するとき、ネットワークによって行われる動作は、同時係属中の英国特許出願第9810424.3号に記載されている。
【００２９】
このような移動局の速度を判定する方法の一例について、図５Ａ、５Ｂ及び７を参照して説明する。本例は、１台のBTS２０がMS４０と通信し、BTS２０はMS４０からアップリンク信号(US)を受信し、MS４０へダウンリンク信号(DS)を送信する場合を考える。図５Ａには、一定電力で送信中の低速移動体に対するBTS２０における受信アップリンク信号電力の一例が示されている。受信電力の変動は、MS４０が移動するときに、MS４０とBTS２０との間の経路のフェージング特性によって生じる。
【００３０】
上述の通り、BTS２０は、MS４０に対し、各タイムスロット内の電力制御ビットを用いて送信電力を次のタイムスロットで増加若しくは減少させるよう命令することによって、受信電力を一定レベルに保とうとする。低速移動中の移動体の場合、緩やかに変化するフェージング特性と関連付けられているので、BTS２０は、受信電力を要求レベルで維持するため、MS４０の電力を制御することが可能である。
【００３１】
しかし、MS４０が高速で移動するとき、受信電力は、（図５Ｂに示されるように）非常に素早く変化するので、BTS２０は１タイムスロット毎に１ビットの電力制御ビットを用いて制御できない。この場合、各タイムスロット毎の受信電力は、前のタイムスロットの受信電力と相関しなくなる。
【００３２】
これは、MS４０が低速移動中か高速移動中かを判定する図７に示された例示的なアルゴリズムの原理である。
【００３３】
ステップＡ１及びＡ２において、カウンタnと、値errorは、０に設定される。ステップＡ３において、BTS２０はMS４０からアップリンク信号を受信し、この信号の絶対電力Rx_acutualを記憶する。ステップＡ４において、誤差errorの測定量が、受信電力レベルと必要電力レベルの差の絶対値に基づいてインクリメントされる。必要電力レベルは、（BTS２０がMS４０に対し前のタイムスロットで送信電力の増大若しくは減少のどちらを命令したかに依存して）前の受信電力レベル±１ｄＢにより与えられる。したがって、この誤差error測定値は、受信信号電力がBTS２０が制御できないほど素早く変化するとき、急速に大きくなる。
【００３４】
ステップＡ５において、カウンタnはインクリメントされ、予め選択された値NとステップＡ６において比較される。この値Nは、カウンタｎが値Nに達する前に、MS４０が約４０λの距離を移動することが許可されるように選択される。ここで、λは、MS４０からの送波の波長を表す。１００ｋｍ／ｈで移動し、区間６２５μｓのタイムスロットを用いて２ＧＨｚで送信するMS４０の場合、この値Nは、およそ３５０である。
【００３５】
ステップＡ６において、カウンタnが値Nに到達したと判定されたとき、処理はステップＡ７へ進み、さもなければ、処理はＡ３へ戻る。ステップＡ７において、平均誤差ave_errorが測定値errorから計算され、この平均誤差は、ステップＡ８において所定の閾値thresholdと比較される。
【００３６】
ステップＡ８において、平均誤差ave_errorが閾値threshold以上であると判定された場合、移動体は高速移動中であることがわかり、高速移動体を表す高速移動体メッセージ(FMM)がネットワーク要素へ通知される。これに対し、誤差平均ave_errorが閾値threshold未満である場合、低速移動体を表す低速移動体メッセージ(SMM)がネットワーク要素に通知される。
【００３７】
本例では、MS４０が１台のBTS２０と通信する場合について説明している。勿論、ソフトハンドオフ動作の場合、移動体は、実際上、２台以上のBTS２０と通信するので、（上述の原理と同じ原理に基づく）より複雑なアルゴリズムを使用する必要があるが、ここではこれ以上の説明を行わない。
【００３８】
本発明の好ましい実施例の説明では、MS４０は高速移動中であること、すなわち、所定の限界を超えた速度で移動していることがネットワークによって既に検出されていること、並びに、動作が以下の説明中でBTSホッピングモードと呼ばれる方式で本発明に従ってネットワークによって実行されるべきことを前提としている。
【００３９】
図８は、本発明を実施するBTS２０のブロック構成図である。アンテナ素子２２は、（たとえば、図示しない送受切替器を介して）受信部２４及び送信部２６に接続される。ソフトハンドオフ制御部２８は、受信部２４からアップリンク信号USを受信し、受信したUS（又は、USから取り出された信号）を、BSC３０へ送信するため固定ネットワーク５に供給する。ソフトハンドオフ制御部２８は、上述のネットワークからの高速移動体メッセージ(FMM)に応答するホッピング制御部２８ａを含む。ホッピング制御部２８ａはBTS選択発生器(BSG)２９に接続される。
【００４０】
ホッピング制御部２８ａは、BTS２０がBTSホッピングモードで動作しているときに、ソフトハンドオフ中に、アップリンク信号USのBSC３０への送信を制御するため使用される。このモードにおいて、ソフトハンドオフに関連した１台のBTSは、各受信アップリンク信号をBSC３０へ送信するよう選択される。この選択は、各BTS２０内のBTS選択発生器(BSG)２９によって行われる。各BSG２９は、同じように初期化され、動作するので、同じBTS２０が各アップリンク信号に対し各BSG２９によって選択される。
【００４１】
以下、図９のフローチャートを参照してBSG２９の動作の一例を説明する。ステップＢ１において、BSG２９にBTS選択の制御された系列を発生させるような形で初期コンフィギュレーションを設定させることができるシードメッセージ(SM)がBSG２９によって受信される。同じSMを受信したBSG２９は、同じBTS選択の系列を発生する。この例の場合、BSG２９は、ステップＢ２において、シード値SEEDで初期化される擬似乱数発生器を用いて擬似乱数系列を生成する。このような擬似乱数系列の数値は本来的にランダムであるが、この系列は、ステップＢ１において、SMを用いてBSG２９へ通知される１個のシード数値によって指定される。SM内には、この他に、ソフトハンドオフに関連したBTSの数を示す値NUMが収容される。この値NUMはステップＢ３で記憶される。
【００４２】
BSG２９の動作は、次に、ステップＢ４からステップＢ６までのループへ入り、BSG２９は、新しいBTS選択の発生を繰り返し要求される。ステップＢ４において、このような要求は、ホッピング制御部２８ａからREQ信号によって受信される。ステップＢ４では、この他に、現在のタイムスロット及び／又はフレームの番号である値TIMが受信され、この値TIMは擬似乱数発生器内でのタイミング制御のため使用される。ステップＢ５において、１とNUMの間に収まる次の擬似乱数が発生され、ステップＢ６において、BTS選択メッセージ(BSM)が作成され、ホッピング制御部２８ａへ送信され、選択結果がホッピング制御部２８ａへ通知される。この擬似乱数アルゴリズムは、GSMネットワーク(GSM05.02)で実施される周波数ホッピング動作で使用されるアルゴリズムと類似している。
【００４３】
BTS２０のホッピング制御部２８ａの詳細な動作は、図１０のフローチャートを参照して説明される。この処理は、BTSホッピングモードを使用すべきことを通知する高速移動体メッセージ(FMM)がホッピング制御部２８ａによって受信されたとき、ステップＣ１で初期化される。ソフトハンドオフに関連したあらゆるBTS２０は、FMMを同時に受信するので、全てのBTSは、同時にBTSホッピングモードへ切り替わる。
【００４４】
ステップＣ２において、上記のシードメッセージ(SM)がBTS選択発生器(BSG)２９の初期状態を設定するため、BSG２９へ送信される。同じシードメッセージ(SM)がソフトハンドオフに関連した全てのBTS２０内のBSG２９へ送信される。したがって、シードメッセージSMは、このような各BTS２０へ通知されるFMMに含まれる。この処理は、次に、ステップＣ３で開始するBTSホッピングモードループへ進む。
【００４５】
ステップＣ３において、アップリンク信号USは、（アンテナ素子２２及び受信部２４を介して）MS４０からホッピング制御部２８ａによって受信される。ホッピング制御部２８ａは、次に、このアップリンク信号US（又は、USから取り出された信号）をBSC３０へ送信するべきか否かを決定しなければならない。このため、信号REQは、BTS選択メッセージ(BSM)を要求するため、ステップＣ４において、BSG２９へ送信され、このBTS選択メッセージ（BSM）はステップＣ５で受信される。ステップＣ４において、値TIMは、各BTS２０で各BSG２９のタイミングを制御、調整するためBSG２９へ送信される。値TIMは、たとえば、ステップＣ３で受信されたアップリンク信号USに含まれても構わない。
【００４６】
受信された受信BSMに基づいて、ステップＣ６において、ホッピング制御部２８ａは、当該BTS２０がUSをBSC３０へ送信すべきか否かを決定する。BTS２０がUSをBSC３０へ送信すべきであると決定された場合、ステップＣ７でUSがBSC３０へ送信され、処理はステップＣ３へ戻される。USをBSC３０へ送信する必要が無いと決定された場合、処理は、ステップＣ６からそのままステップＣ３へ戻される。
【００４７】
BSG２９は、生成された擬似乱数毎にタイムスロット及び／又はフレーム番号を受信するので、たとえ、（たとえば）MS４０と特定のBTS２０との間の深刻なフェードのため、そのBTS２０が図１０のステップＣ３で一つ以上のタイムスロットに亘ってアップリンク信号USを受信しない場合（したがって、ステップＣ４で新しい選択を要求しない場合）でも、各BSG２９は他のBTS２０のBSG２９と調和し続ける。
【００４８】
ソフトハンドオフに関連したBTS２０が上述のBTSホッピングモードで動作するとき（すなわち、高速移動体が検出されたとき）、MS４０によって送出されたアップリンク信号の各タイムスロットは、各タイムスロット毎にランダムに選択された唯一のBTS２０によってBSC３０へ転送される。かくして、固定ネットワーク５内のアップリンクバックホールは削減される。
【００４９】
アップリンク固定ネットワークバックホールの削減は、唯一のBTS２０を選択するのではなく、（ソフトハンドオフに関連した全数よりも少ない）任意の数のBTSをUSを送信するため選択することにより達成されることが認められる。したがって、BTS選択メッセージ(BSM)は、USを送信すべき二つ以上のBTS２０を指定すること、或いは、USを送信しない１台のBTS２０を指定することさえ可能である。
【００５０】
また、BTS２０をランダムに選択する代わりに、他の方法を用いてBTS２０を選択してもよいことが認められる。たとえば、BSGは、BTSのリストを順番に巡回してもよい。また、アルゴリズムは、ハンドオフモードで動作するネットワークの要素によって受信された信号の履歴に基づいていてもよい。
【００５１】
さらに、BTSホッピング動作は、タイムスロット毎に行わなくてもよい。BTSホッピング動作は、フレーム単位で働かせることが可能であり、或いは、フレーム若しくはスロット以外の時間間隔、たとえば、MS４０の速度と適合した時間間隔に基づいて動作させてもよい。
【００５２】
上記の例は、BTSホッピング動作がソフトハンドオフに関連した各BTS２０から制御される場合について説明されている。しかし、MS４０がBTSホッピング動作を制御し、それ自体でUSをBSC３０へ送信すべきBTS２０を選択することも可能である。
【００５３】
その場合、BSG２９は、各BTS２０に設けられるのではなく、MS４０に設けられ、MS４０は、ホッピング制御部を具備する（ホッピング制御部２８ａは各BTS０に存続しても構わないが、その場合に、異なる動作を実行する）。
【００５４】
このようなMS４０の一例が図１１に示されている。アンテナ素子４２は、（たとえば、図示しない送受切替器を介して）受信部４４及び送信部４６に接続される。ソフトハンドオフ制御部４８は、受信部４４から信号を受信し、信号を送信部４６へ供給する。ソフトハンドオフ制御部４８は、BTS選択発生器(BSG)４９に接続されたホッピング制御部４８ａを含む。
【００５５】
この場合、図１０のフローチャートに示された動作は、MS４０内に配置されたホッピング制御部４８ａによって部分的に実行され、各BTS２０に設けられたホッピング制御部２８ａによって一部分が実行される。BSG４９は、図９に示されたBSG２９と同じ動作を実行する。
【００５６】
図１２は、ホッピング制御部４８ａの動作を説明するフローチャートである。ステップＤ１、Ｄ２、Ｄ３及びＤ４は、それぞれ、図１０のステップＣ１、Ｃ２、Ｃ４及びＣ５と類似しているが、ステップＤ１において、FMMは受信部４４を介して受信される。ステップＤ５において、BSMはアップリンク信号USに取り込まれ、BTS２０へ送信される。
【００５７】
図１３は、アップリンク信号USがステップＥ１で受信されたときに、BTS２０内のホッピング制御部２８ａの処理を説明するフローチャートである。ステップＥ２において、BSMはUSから抽出される。ステップＥ３において、BTS２０は、BTSが受信されたUSをBSC３０へ送信すべきか否かを決めるため、BSMを使用する。ステップＥ３において、肯定的に判定された場合（ＹＥＳの場合）、USはBSC３０へ送信され、処理はステップＥ１へ戻る。ステップＥ３において、否定的に判定された場合（ＮＯの場合）、処理はそのままステップＥ１へ戻る。
【００５８】
本例の場合、MS４０は、USをBSC３０へ送信すべきBTSがどのBTS２０であるかを決める役割を担い、BSMを各BTS２０へ送信することによってその決定内容を各BTS２０へ通知する。BTS２０は、USをBSC３０へ送信すべきか否かを決定するためこのBSMを使用する役割だけを担う。
【００５９】
図１４は、ダウンリンク信号用のホッピング制御動作を実行するため適合したBSC３０の構成図である。BSC３０は、ホッピング制御部３２ａ及びBTS選択発生器３４を含むソフトハンドオフ制御部３２を有する。
【００６０】
本例の場合、各BTSをBSC３０へ連結するコネクションライン５１乃至５３は、着目中のBTSとBSCとの間でアップリンク信号US及びダウンリンク信号DSを伝搬する二重通信ラインである。たとえば、第１のコネクションライン５１は、BTS1とBSC３０との間のアップリンク信号US1及びダウンリンク信号DS1を伝搬する。
【００６１】
ソフトハンドオフ制御部３２は、MSC（図６では、MSC７）によって供給されたダウンリンク信号DSをその入力で受ける。ソフトハンドオフ制御部３２は、コネクションライン５１乃至５３にそれぞれ接続された３入力を有する。BTS選択発生器３４は、ホッピング制御部３２ａに接続される。
【００６２】
図１４に示されたBSC３０の動作は、図８に示された対応したBTS２０のコンポーネントの動作と非常に類似している。BSG３４によって行われる動作は、図９に示された動作と同じである。
【００６３】
次に、図１５のフローチャートに例示された処理を参照してBSC３０のホッピング制御部３２ａの詳細な動作を説明する。この処理は、BTSホッピング動作を使用すべき旨を指定する高速移動体メッセージ(FMM)がホッピング制御部３２ａによって受信されたとき、ステップＦ１において初期化される。
【００６４】
ステップＦ２において、上記のシードメッセージ(SM)がBTS選択発生器(BSG)３４の初期状態を設定するため、BSG３４へ送信される。このシードメッセージ(SM)は、BSC３０へ通知されるFMMに含まれる。この処理は、次に、ステップＦ３で開始するBTSホッピングモードループへ進む。
【００６５】
ステップＦ３において、ダウンリンク信号DSは、MS７からホッピング制御部３２ａによって受信される。ホッピング制御部３２ａは、次に、このダウンリンク信号DS（又は、DSから取り出された信号）が送信されるべきBTS２０を決定しなければならない。このため、信号REQは、BTS選択メッセージ(BSM)を要求するため、ステップＦ４において、BSG３４へ送信され、このBTS選択メッセージ（BSM）はステップＦ５で受信される。ステップＦ４において、値TIMは、BSG３４のタイミングを制御、調整するためBSG３４へ送信される。
【００６６】
ステップＦ６において、ホッピング制御部３２ａは、受信されたBSMを調べ、DSを、BSM内に指定されたBTS２０へ送信する。処理は、次のダウンリンク信号のためステップＦ３へ戻される。
【００６７】
上述のダウンリンクの場合のように、BTS３０がBTSホッピングモードで動作しているとき（すなわち、高速移動体が検出されたとき）、その結果として、MS４０へ送信されるべき各ダウンリンク信号タイムスロットは、タイムスロット毎にランダムに選択された一つのBTS２０だけにBSC３０によって転送される。かくして、固定ネットワーク５内のダウンリンクバックホールは削減される。さらに、唯一のBTS２０がダウンリンク信号をMS４０へ送信するので、ネットワーク干渉も低減される。
【００６８】
ダウンリンク固定ネットワークバックホールの削減は、上述のように唯一のBTS２０を選択するのではなく、DSを送信すべき（ソフトハンドオフに関連した全数よりも少ない）任意の数のBTSを選択することによって達成されることが認められる。したがって、BTS選択メッセージ(BSM)は、DSを受信すべき二つ以上のBTS２０を指定してもよく、或いは、DSを受信すべきでない一つのBTS２０を指定してもよい。
【００６９】
アップリンクの場合と同様に、BTS２０をランダムに選択する代わりに、他の方法を用いてBTS２０を選択してもよいことが認められる。たとえば、BSG３４は、BTSのリストを順番に巡回してもよい。
【００７０】
上記の本発明の実施例は、ソフトハンドオフ動作中のアップリンク信号処理とダウンリンク信号処理とに分けて説明されているので、アップリンクバックホールのためのBTS２０の選択は、対応したダウンリンクバックホールの選択とは独立して行われている。しかし、アップリンク処理用に行われたBTS選択は、ダウンリンク処理用のBTS選択を決定するため使用してもよく、また、その逆も可能であることが認められる。たとえば、BSC３０は、アップリンク信号が最後に受信されたBTS２０だけにダウンリンク信号を送信してもよい。このようにして、一つのアップリンクBTS選択が後続のダウンリンクBTS選択として使用されるので、BSC３０内のBSG３４は必要でなくなる。同様の方法で、各BTS２０は、前にBSC３０からダウンリンク信号を受信した場合に限り、そのBSC３０へアップリンク信号を送信することを決定することができる。かくして、BSC３０内のBSG３４は、アップリンクBTS選択と、ダウンリンクBTS選択の両方を決定し、MS４０若しくはBTS２０のいずれかのBSGを取り除くことができる。
【００７１】
MS４０が高速移動しているとき、ソフトハンドオフ中にBTSホッピング動作を使用し、MS４０が低速移動しているとき、同時係属中の英国特許出願第9810424.3号に記載されたソフトハンドオフ方法を使用することは、有利ではあるが不可欠ではないことが認められる。
【００７２】
以上の記述において、本発明は、提案された欧州広帯域CDMAシステム(UTRA)に関連して説明がなされているが、本発明は、IS95標準に準拠したそれ以外のシステムにも適用することができる。また、本発明は、CDMAを使用しないセルラーネットワーク、たとえば、時分割多元接続(TDMA)、波長分割多元接続(WDMA)、周波数分割多元接続(FDMA)、及び、空間分割多元接続（SDMA）のような多元アクセス方式、並びに、これらの多元アクセス方式の任意の組み合わせを使用するネットワークにも適用され得る。
【図面の簡単な説明】
【図１】  IS95に準拠したセルラー移動電気通信ネットワークの構成図である。
【図２】  図１のネットワークによって行われるソフトハンドオフ動作におけるアップリンク信号の処理を説明するための概略図である。
【図３】  ソフトハンドオフ動作におけるダウンリンク信号の処理を説明するための概略図である。
【図４】  図１のネットワークにおけるタイムフレームのフォーマットの説明図である。
【図５Ａ】  基地局トランシーバーにおいて低速移動中の移動局から受信された受信信号電力の一例を示す図である。
【図５Ｂ】  基地局トランシーバーにおいて高速移動中の移動局から受信された受信信号電力の一例を示す図である。
【図６】  本発明を実施する移動電気通信ネットワークの構成図である。
【図７】  移動局が高速移動中であるか否かを検出する方法の一例を説明するフローチャートである。
【図８】  本発明を実施する基地トランシーバー局の構成図である。
【図９】  図８の基地トランシーバー局のコンポーネントによって行われる動作を説明するフローチャートである。
【図１０】  図８の基地トランシーバー局におけるアップリンク処理動作を説明するフローチャートである。
【図１１】  本発明を実施する移動局の構成図である。
【図１２】  図１１の移動局によって行われる動作を説明するフローチャートである。
【図１３】  移動局が図１２のフローチャートに従って動作するときに基地トランシーバー局によって行われる動作を説明するフローチャートである。
【図１４】  本発明を実施する基地局コントローラの構成図である。
【図１５】  図１４の基地局コントローラにおけるダウンリンク処理動作を説明するフローチャートである。
【図１】
0004410936.tif 000002
【図２】
0004410936.tif 000003
【図３】
0004410936.tif 000004
【図４】
0004410936.tif 000005
【図５Ａ】
0004410936.tif 000006
【図５Ｂ】
0004410936.tif 000007
【図６】
0004410936.tif 000008
【図７】
0004410936.tif 000009
【図８】
0004410936.tif 000010
【図９】
0004410936.tif 000011
【図１０】
0004410936.tif 000012
【図１１】
0004410936.tif 000013
【図１２】
0004410936.tif 000014
【図１３】
0004410936.tif 000015
【図１４】
0004410936.tif 000016
【図１５】
0004410936.tif 000017